(57)【要約】      （修正有）【課題】下半身の自転車漕ぎ運動及び上半身の手部のローイング運動効果を兼ね備えるローイングマシンの構造を提供する。【解決手段】底台１，底台上に抵抗機構２，底台の抵抗機構後方の位置には固定支持台３，固定支持台上にサドル３０を設置する。底台の抵抗機構前方の位置には第一枢設部４０によって可動支持台４を枢設し，可動支持台にはハンドルバー４１を設置する。抵抗機構の軸桿２０一側と可動支持台の間には自動回復機構５を設置し，自動回復機構はガススプリング５０を設置する。ガススプリングの外部にはスリーブ５１を被せ，ガススプリングの伸縮桿５００一端とスリーブの一端は第二枢設部５２によって抵抗機構の軸桿一側に合わせて枢設する。ガススプリングの別一端は第三枢設部５３によって可動支持台上に枢設し，ガススプリングには定位片５４を設置し，定位片上には折畳定位孔５４０及び使用定位孔を穿設し，スリーブには固定台５５を設置し，固定台には基台を設置する。【選択図】図２
0003217437.tif 000002
【実用新案登録請求の範囲】
【請求項１】
主に底台を設置し，該底台上に抵抗機構を設置し，該抵抗機構には軸桿を設置し，該軸桿の両端にはそれぞれクランクアームに連接したペダルを設置し，該底台の該抵抗機構後方の位置には固定支持台を設置し，該固定支持台上にサドルを設置するローイングマシンの構造において、
該底台の該抵抗機構前方の位置には第一枢設部によって可動支持台を枢設し，該可動支持台にはハンドルバーを設置し，該抵抗機構の軸桿一側と該可動支持台の間には自動回復機構を設置し，該自動回復機構はガススプリングを設置し，該ガススプリングの外部にはスリーブを被せ，該ガススプリングの伸縮桿一端と該スリーブの一端は第二枢設部によって該抵抗機構の軸桿一側に合わせて枢設し，該ガススプリングの別一端は第三枢設部によって該可動支持台上に枢設し，該ガススプリングには定位片を設置し，該定位片上には折畳定位孔及び少なくとも一使用定位孔を穿設し，該スリーブには固定台を設置し，該固定台には基台を設置し，位置限定ノブは該基台上に被せ，該位置限定ノブ内には定位差込桿を設置し，該定位差込桿は該基台の底部から伸び出し，該定位差込桿は該定位片を設置する該折畳定位孔もしくは該少なくとも一使用定位孔内に挿入することを特徴とするローイングマシンの構造。
【考案の詳細な説明】
【技術分野】
【０００１】
本考案は、ローイングマシンの構造に関するもので、特にフィットネスバイク上に自動回復機構を設置し、下半身の自転車漕ぎ運動及び上半身の手部のローイング運動を兼備し、全身運動の使用効果を達成する。
【背景技術】
【０００２】
現代人は仕事が忙しく、運動不足になりがちである。その解消としてフィットネスバイクは戸外での運動ができない人のために室内で運動するための室内健康器材として一般的に知られている。一般的なフィットネスバイクは、地面に安定して置くための底台を設置する。そして底台上にはフレーム、ハンドルバー及び抵抗機構を設置する。フレーム上にはユーザーが乗るためのサドルを設置し、抵抗機構上には踏み込むためのペダルを設置する。公知フィットネスバイクのハンドルバーは支持フレームによって底台もしくはフレーム上に固定してユーザーの手部で握る。また一般的なフィットネスバイクは両足で模擬自転車を回転させる動作を行うことで、ユーザーの大腿部とふくらはぎの筋肉を鍛え、及び心肺機能を高めて血液循環等を促進して運動健康効果を得る。
【先行技術文献】
【特許文献】
【０００３】
【特許文献１】実用新案登録第3130693号公報
【考案の概要】
【考案が解決しようとする課題】
【０００４】
解決しようとする問題点は、一般的なフィットネスバイクはユーザーが両足で回転運動をする時、両手はハンドルバーを握っているだけで動かさないため、一般的なフィットネスバイクは下半身の足部回転運動だけであり、上半身は運動になっておらず、且つその他の運動方法に変換することもできないため、使用に際し単調で楽しみに乏しく、ユーザーは長時間乗っていると、飽きて疲れてしまう点である。
【課題を解決するための手段】
【０００５】
本考案は、主に底台を設置し，該底台上に抵抗機構を設置し，該底台の該抵抗機構後方の位置には固定支持台を設置し，該固定支持台上にサドルを設置する。該底台の該抵抗機構前方の位置には第一枢設部によって可動支持台を枢設し，該可動支持台にはハンドルバーを設置する。該抵抗機構の軸桿一側と該可動支持台の間には自動回復機構を設置し，該自動回復機構はガススプリングを設置する。該ガススプリングの外部にはスリーブを被せ，該ガススプリングの伸縮桿一端と該スリーブの一端は第二枢設部によって該抵抗機構の軸桿一側に合わせて枢設する。該ガススプリングの別一端は第三枢設部によって該可動支持台上に枢設し，該ガススプリングには定位片を設置し，該定位片上には折畳定位孔及び少なくとも一使用定位孔を穿設し，該スリーブには固定台を設置し，該固定台には基台を設置する。位置限定ノブは該基台上に被せ，該位置限定ノブ内には定位差込桿を設置し，該定位差込桿は該基台の底部から伸び出し，該定位差込桿は該定位片を設置する該折畳定位孔もしくは該少なくとも一使用定位孔内に挿入することを最も主要な特徴とする。
【考案の効果】
【０００６】
本考案のローイングマシンの構造は、下半身の自転車漕ぎ運動及び上半身の手部のローイング運動効果を兼ね備え、全身運動の使用効果を達成するという利点がある。
【図面の簡単な説明】
【０００７】
【図１】本考案の実施例の立体図である。
【図２】本考案の実施例の別角度の立体図である。
【図３】本考案の実施例を折り畳んだ状態の側視指示図である。
【図４】本考案の実施例で位置限定ノブ部位の組立断面図である。
【図５】本考案の実施例で位置限定ノブを上に引き上げた指示図である。
【図６】本考案の可動支持台を自転車漕ぎ運動位置へ調整した使用指示図である。
【図７】本考案の実施例で位置限定ノブを回転移動して定位した指示図である。
【図８】本考案の実施例で自動回復機構のガススプリングの伸縮桿が外に延びた使用指示図である。
【図９】本考案の実施例で可動支持台が前後に移動してローイング運動を行う使用指示図である。
【考案を実施するための形態】
【０００８】
公知のフィットネスバイクに於ける使用上の欠点を有効に改善するローイングマシンの構造を提供することを本考案の目的とする。
【０００９】
本考案のローイングマシンの構造は、主に底台を設置し，該底台上に抵抗機構を設置する。該抵抗機構には軸桿を設置し，該軸桿の両端にはそれぞれクランクアームに連接したペダルを設置する。該底台の該抵抗機構後方の位置には固定支持台を設置し，該固定支持台上にサドルを設置する。
【００１０】
該底台の該抵抗機構前方の位置には第一枢設部によって可動支持台を枢設し，該可動支持台にはハンドルバーを設置する。該抵抗機構の軸桿一側と該可動支持台の間には自動回復機構を設置し，該自動回復機構はガススプリングを設置する。該ガススプリングの外部にはスリーブを被せ，該ガススプリングの伸縮桿一端と該スリーブの一端は第二枢設部によって該抵抗機構の軸桿一側に合わせて枢設する。該ガススプリングの別一端は第三枢設部によって該可動支持台上に枢設し，該ガススプリングには定位片を設置し，該定位片上には折畳定位孔及び少なくとも一使用定位孔を穿設する。該スリーブには固定台を設置し，該固定台には基台を設置する。位置限定ノブは該基台上に被せ，該位置限定ノブ内には定位差込桿を設置し，該定位差込桿は該基台の底部から伸び出し，該定位差込桿は該定位片を設置する該折畳定位孔もしくは該少なくとも一使用定位孔内に挿入する。
【００１１】
本考案のローイングマシンの構造において、該固定台にはネジ孔を穿設し，該基台の底部にはネジ管を設置し，該ネジ管は該固定台のネジ孔内にネジ固定し、該ネジ管内には穿孔を穿設する。該位置限定ノブの定位差込桿は、該ネジ管の穿孔から伸び出る。
【００１２】
本考案のローイングマシンの構造において、該基台内には納置室を形成し，該基台の外壁面には二個の案内円弧面を相対設置し，該二個の案内円弧面の上端には定位凹槽を設置する。該位置限定ノブの内壁面上には二個の定位凸体を相対設置し，該二個の定位凸体は該基台の二個の案内円弧面上でそれぞれ対応する。該基台の納置室内に位置する該定位差込桿上にはバネを嵌合し，該定位差込桿の別横向きには停止桿を設置して該バネを定位するのに用いる。
【００１３】
本考案のローイングマシンの構造において、該自動回復機構の設置によって，フィットネスバイクは下半身の自転車漕ぎ運動及び上半身のローイング運動機能を備え、フィットネスバイクの使用に更に変化性が生まれ、全身運動の使用効果を達成し、趣味性も備える。
【実施例】
【００１４】
本考案の上述の使用目的と効果を達成するために、採用した技術手段を良好な実施例を挙げて図式と共に以下に説明する。
【００１５】
本考案の実施例は、図１から図４に示すとおり、主に底台１を設置し、該底台１上には抵抗機構２を設置する。該抵抗機構２には軸桿２０を設置し、該軸桿２０の両端にはそれぞれクランクアーム２１に連接したペダル２２を設置する。該底台１の該抵抗機構２後方の位置には固定支持台３を設置し、該固定支持台３上にはサドル３０を設置する。該底台１の該抵抗機構２前方の位置には、第一枢設部４０によって可動支持台４を枢設し，該可動支持台４にはハンドルバー４１を設置する。該ハンドルバー４１上にはディスプレイ４２を設置する。該抵抗機構２の軸桿２０一側と該可動支持台４の間には自動回復機構５を設置し，該自動回復機構５はガススプリング５０を設置する。該ガススプリング５０の外部にはスリーブ５１を被せ，該ガススプリング５０の伸縮桿５００一端と該スリーブ５１の一端は第二枢設部５２によって該抵抗機構２の軸桿２０一側に合わせて枢設する。該ガススプリング５０の別一端は第三枢設部５３によって該可動支持台４上に枢設し，該ガススプリング５０には定位片５４を設置し，該定位片５４には折畳定位孔５４０及び使用定位孔５４１を穿設する。該スリーブ５１には固定台５５を設置し，該固定台５５にはネジ孔５５０を穿設し，該固定台５５には基台５６を設置する。該基台５６の底部にはネジ管５６０を設置し，該ネジ管５６０は該固定台５５のネジ孔５５０内にネジ固定し、該ネジ管５６０には穿孔５６１を穿設する。該基台５６内には納置室５６２を形成し，該基台５６の外壁面には二個の案内円弧面５６３を相対設置し，該二個の案内円弧面５６３の上端には定位凹槽５６４を設置する。位置限定ノブ５７は該基台５６上に被せ，該位置限定ノブ５７の内壁面上には二個の定位凸体５７０を相対設置し，該二個の定位凸体５７０は該基台５６の二個の案内円弧面５６３上でそれぞれ対応する。該位置限定ノブ５７内には定位差込桿５７１を設置し，該定位差込桿５７１は該基台５６の納置室５６２に挿入し、該ネジ管５６０の穿孔５６１から出し、更に該定位片５４の折畳定位孔５４０もしくは使用定位孔５４１内に差し込む。該基台５６の納置室５６２に位置する該定位差込桿５７１上にはバネ５７２を嵌合し，該定位差込桿５７１の別横向きには停止桿５７３を設置して該バネ５７２を定位する。このようにしてローイングマシンの構造が完成する。
【００１６】
自転車漕ぎとして使用する時、図１から図６に示すとおり、ユーザーは先ず、位置限定ノブ５７を上向きに移動し（図４、５参照），位置限定ノブ５７の定位差込桿５７１を上に上げて移動することで定位片５４の折畳定位孔５４０から外す。位置限定ノブ５７上のバネ５７２は停止桿５７３の押圧を受けて弾性圧縮状態になる。また可動支持台４は第一枢設部４０を支軸として外向きにやや回転する。定位片５４上の使用定位孔５４１が位置限定ノブ５７の定位差込桿５７１位置に一致した時，位置限定ノブ５７を開き、位置限定ノブ５７はバネ５７２の彈性回復を受けてそれを元の位置に押す。また定位差込桿５７１を定位片５４の使用定位孔５４１内に挿入し（図２、６参照），可動支持台４の位置を自転車に乗る使用状態の位置に定位する。ユーザーは固定支持台３のサドル３０上に座り、両手は可動支持台４上のハンドルバー４１を握り，両足は抵抗機構２両側のペダル２２を踏み、下半身の自転車漕ぎ運動を行う。
【００１７】
ローイング運動で使用する時、図７から図９に示すとおり、位置限定ノブ５７を回転するだけでよく（図７参照），位置限定ノブ５７の定位凸体５７０を基台５６外壁面の案内円弧面５６３に沿って上向きに押し上げられ、位置限定ノブ５７の定位凸体５７０が基台５６の定位凹槽５６４内に入って定位する。同時に位置限定ノブ５７の定位差込桿５７１もまた上に移動して定位片５４の折畳定位孔５４０もしくは使用定位孔５４１から外れる。位置限定ノブ５７のバネ５７２は停止桿５７３に押圧されて弾性圧縮状態であるが、ガススプリング５０上の定位片５４が位置限定ノブ５７の定位差込桿５７１の差し込み位置限定を受けなくなり、ガススプリング５０の伸縮桿５００を自動で外向きに延ばし、可動支持台４はガススプリング５０によって前向きに押圧移動し、第一枢設部４０を支軸として外向きに最も開いた位置まで回転移動する（図８参照）。ユーザーは固定支持台３のサドル３０上に座り、両手で可動支持台４上のハンドルバー４１を握り，両手に力をかけてハンドルバー４１を引き戻して身体（図９参照）に近づける。可動支持台４は第一枢設部４０を支軸として後ろ向きに回転移動し、ガススプリング５０の伸縮桿５００を力をかけてガススプリング５０内へ押し戻し、更に両手のちからを緩めると、ガススプリング５０の伸縮桿５００は自動で回復して外向きに伸びる。このようにしてハンドルバー４１を握って前後往復すると、上半身のローイング運動となり、他に両足で抵抗機構２両側のペダル２２を踏むと、即ち同時に下半身の自転車漕ぎ運動を行う。
【００１８】
使用しない時、図３、図４に示すとおり、先ずハンドルバー４１をサドル３０位置へ引き、可動支持台４は第一枢設部４０を支軸として回転し，ガススプリング５０の伸縮桿５００はガススプリング５０内へ圧縮され、更に位置限定ノブ５７の定位差込桿５７１を定位片５４の折畳定位孔５４０位置（図３参照）に一致させる。次に位置限定ノブ５７を反対方向に回転する。位置限定ノブ５７の定位凸体５７０を基台５６の定位凹槽５６４から外し、バネ５７２は弾性回復を受けて押され、定位凸体５７０が案内円弧面５６３に沿って下向きに滑動して元の位置に戻り、定位差込桿５７１はそれによって下へ移動し定位片５４の折畳定位孔５４１内に挿入し（図４参照），可動支持台４の位置を折畳位置で定位させ、折畳動作が完成する。
【００１９】
上述のとおり、本考案は確実に予定した使用目的と効果を達成する。更に公知と比較して理想的、実用的である。上述の実施例は本考案の具体的に説明するために良好な実施例を挙げたものに過ぎない。拠って、実施例は本考案の請求範囲を限定しない。本考案が提示した技術手段のの下、完成した同等の変化及び修飾はすべて本考案の請求項に含まれるものとする。
【符号の説明】
【００２０】
１        底台
２        抵抗機構
２０        軸桿
２１        クランクアーム
２２        ペダル
３        固定支持台
３０        サドル
４        可動支持台
４０        第一枢設部
４１        ハンドルバー
４２        ディスプレイ
５        自動回復機構
５０        ガススプリング
５００        伸縮桿
５１        スリーブ
５２        第二枢設部
５３        第三枢設部
５４        定位片
５４０        折畳定位孔
５４１        使用定位孔
５５        固定台
５５０        ネジ孔
５６        基台
５６０        ネジ管
５６１        穿孔
５６２        納置室
５６３        案内円弧面
５６４        定位凹槽
５７        位置限定ノブ
５７０        定位凸体
５７１        定位差込桿
５７２        バネ
５７３        停止桿
【図１】
0003217437.tif 000003
【図２】
0003217437.tif 000004
【図３】
0003217437.tif 000005
【図４】
0003217437.tif 000006
【図５】
0003217437.tif 000007
【図６】
0003217437.tif 000008
【図７】
0003217437.tif 000009
【図８】
0003217437.tif 000010
【図９】
0003217437.tif 000011